(57)【要約】  本発明は、巻回カフ電極アセンブリ、端的にはカフ電極の形態の医療用のインプラントに関し、医療用のインプラントは、第１領域では巻軸の周りに巻回されることによりチューブ長を有するチューブの形態をとり、可撓性および生体適合性を持つ、フィルム状のキャリア基板を有し、チューブは、キャリア基板の表面によって巻軸に対し放射状に範囲を定める直線円筒状のキャビティを有し、キャビティ上に少なくとも１つの電極面が取り付けられ、少なくとも１つの電極面はキャリア基板内に一体化される少なくとも１つの電線を介して、非伸縮性のコンタクトアセンブリに接続され、コンタクトアセンブリ上で少なくとも１つの電線はインプラントとは別に形成されるインプラント可能な電気供給ユニットに繋がる給電および／または放電線に接続される。本発明は、コンタクトアセンブリが、巻軸に平行して配向される空間的な長手方向延長部を有し、コンタクトアセンブリが、接合領域に沿ってキャリア基板に固定的に接合し、巻軸（５）に平行して配向される接合領域長を有し、巻軸に対して正射影するコンタクトアセンブリは、巻回されてチューブを形成するキャリア基板の第１領域に重なる。【選択図】図１
2021518178.tif 000002
【特許請求の範囲】
【請求項１】
巻回カフ電極アセンブリ、端的にはカフ電極（１）の形態の医療用のインプラントであって、第１領域（３）では巻軸（５）の周りに巻回されることでチューブ長（１９）を有するチューブの形状をとり、可撓性および生体適合性を持つ、フィルム状のキャリア基板（２）を有し、前記チューブは、前記巻軸（５）に対し放射状に範囲を定める直線円筒状のキャビティ（６）を有し、前記キャビティ（６）上に少なくとも１つの電極面（７）が取り付けられ、前記少なくとも１つの電極面（７）は前記キャリア基板（２）内に一体化される少なくとも１つの電線（８）を介して、非伸縮性のコンタクトアセンブリ（１１）に接続され、前記コンタクトアセンブリ（１１）上で前記電線（８）は前記インプラントとは別に形成されるインプラント可能な電気供給ユニット（１６）に繋がる給電および／または放電線（１５）に接続され、
前記コンタクトアセンブリ（１１）が、前記巻軸（５）に平行して配向される空間的な長手方向延長部（１３）を有し、前記コンタクトアセンブリ（１１）が、寸法的に安定した接合領域（２０）に沿って前記キャリア基板（２）に強固に接合され、前記接合領域（２０）は前記巻軸（５）に平行して配向される接合領域長（２１）を有し、前記巻軸（５）に対して正射影する前記コンタクトアセンブリ（１１）は、巻回されてチューブを形成する前記キャリア基板（２）の前記第１領域（３）に重なる、医療用のインプラント。
【請求項２】
前記コンタクトアセンブリ（１１）は、前記コンタクトアセンブリ（１１）の前記長手方向延長部（１３）および巻回されてチューブを形成する前記キャリア基板（２）の前記第１領域（３）の前記チューブ長（１９）が前記巻軸（５）に対して正射影して最大限に重なるように、前記キャリア基板（２）に対して配置されている、請求項１に記載の医療用のインプラント。
【請求項３】
前記コンタクトアセンブリ（１１）と前記キャリア基板（２）との間で、前記接合領域（２０）は、前記巻軸（５）に平行に配向される接合領域長（２１）を有し、前記接合領域長（２１）は前記コンタクトアセンブリ（１１）の前記長手方向延長部（１３）と前記巻軸（５）に対して正射影する前記チューブ長（１９）との相互の重なりに最大限に対応する、請求項１または２に記載の医療用のインプラント。
【請求項４】
前記コンタクトアセンブリ（１１）は、前記コンタクトアセンブリ（１１）の前記長手方向延長部（１３）、前記チューブ長（１９）、および前記接合領域長（２１）がそれぞれ、前記巻軸（５）に対して直交して配向される共通中心軸（２４）を有するように、前記キャリア基板（２）に対して強固に接合されている、請求項１から３のいずれか一項に記載の医療用のインプラント。
【請求項５】
前記キャリア基板（２）は、側縁（９）が側面方向に前記キャリア基板（２）の範囲を定めた状態で、巻回されてチューブを形成する前記第１領域（３）に隣接する第２平坦キャリア基板領域（４）を有し、前記側縁（９）上で前記少なくとも１つの電線（８）は前記接合領域（２０）内で前記コンタクトアセンブリ（１１）に電気的に接続される、請求項１から４のいずれか一項に記載の医療用のインプラント。
【請求項６】
前記コンタクトアセンブリ（１１）は、前記少なくとも１つの電線（８）が、板状キャリア（１２）に取り付けられた電気コンタクト（１５）によって、好適には電極（１４）と電気的に接触しているマイクロフレックス接点の形態で接触している板状キャリア（１２）を有し、それによって前記給電および／または放電線（１５）が電気的に接続され、
前記給電および／または放電線（１５）は、前記板状キャリア（１２）と共に弾性材料で囲まれ、前記弾性材料は、前記接合領域（２０）で流体密となるように前記キャリア基板（２）に接合される、請求項１から５のいずれか一項に記載の医療用のインプラント。
【請求項７】
前記少なくとも１つの給電および／または放電線（１５）を囲う前記弾性材料は、
前記コンタクトアセンブリ（１１）に直に隣接する少なくとも１つの領域において前記巻軸（５）に対し平行に配向される、撚り線の長手方向延長部を有する撚り線（１７）の形態であり、
少なくとも１つの給電および／または放電線（１５）を含む前記撚り線（１７）の領域において、直線円筒状のキャビティを有する第１締結手段（２２）は巻回カフ若しくは螺旋状構造の形態で直接的または間接的に適用され、前記直線円筒状のキャビティは前記巻軸（５）に対して同軸上に配向されている、請求項６に記載の医療用のインプラント。
【請求項８】
前記撚り線の長手方向延長部において、前記撚り線（１７）は前記コンタクトアセンブリ（１１）の反対に撚り線延長部（１７’）を想定し、前記撚り線延長部（１７’）上に前記第１締結手段（２２）と同じタイプの第２締結手段（２２’）が直接的または間接的に取り付けられている、請求項７に記載の医療用のインプラント。
【請求項９】
巻回されてチューブを形成する前記キャリア基板（２）の前記第１領域（３）は、前記キャリア基板（２）が前記巻軸（５）に対して放射状にそれ自体に緩く重なる少なくとも１つの巻回領域を有する前記巻軸の周りの少なくとも１つの巻回を有する、請求項１から８のいずれか一項に記載の医療用のインプラント。
【発明の詳細な説明】
【技術分野】
【０００１】
本発明は、巻回カフ電極アセンブリ形態の医療用のインプラント、端的には体内血管または神経線維束に沿って脈管外または神経外での締結に適し、巻軸の周りに巻回されて、チューブ長を有するチューブの形態を第１領域でとる可撓性および生体適合性を持つフィルム状キャリア基板を有するカフ電極に関し、チューブは、少なくとも１つの電極面の取り付けられたキャリア基板の表面によって巻軸に対して放射状に範囲が定められた直線円筒状のキャビティを有し、これは、インプラントとは別に形成されているインプラント可能な電気供給ユニットに繋がる給電および／または放電線に少なくとも１つの電線が接続されている非伸縮性のコンタクトアセンブリに、キャリア基板内で一体化された少なくとも１つの電線を介して接続されている。
【背景技術】
【０００２】
上述のタイプのカフ電極は、多くの場合、記録および電気信号を体内血管からまたは体内血管へ、とりわけ、神経束へと印加するためにも取り付けられる。このために、カフ電極は可撓性および生体適合性を持つキャリア基板を有し、その神経束に向く面には、少なくとも１つ、好適には複数の電極が取り付けられ、これは神経束の表面に緊密に物理的接触するように接合しなくてはならない。
【０００３】
当該タイプのカフ電極は、国際公開第２０１６／０５５５１２号に開示されている。カフ電極のキャリア基板は、少なくとも巻軸の周りで断面方向に自動に巻回するように、機械的なフィルムのプレテンションが行われたポリイミドフィルムを含む。神経束の周りにカフ電極を巻回するプロセスにより、カフ電極の個別の電極は神経線維束の神経上膜と直接的に表面接触する。力が加えられた形態適合接続によって、カフ電極はそれ自体を神経線維束の円筒形外面に取り付けられ、丸めるまたは巻回するプロセスを通じて重なったキャリア基板の領域が緩く摺動するように互いに重なり合っている。
【０００４】
カフ電極の個々の電極から繋がる電線は、それぞれポリイミドフィルム内に延び、電気的に絶縁されて、ポリイミドフィルムの側方端部領域で終了し、これはカフ電極の巻回された領域から空間的に離れ、その上で電線の端部はそれぞれ、電気コンタクトアセンブリを介して、給電および放電線に接続されて、これを介してカフ電極は、体内でカフ電極とは別に位置付けられたインプラント可能な電気供給ユニットに接続される。
【発明の概要】
【発明が解決しようとする課題】
【０００５】
外部の機械的影響に対する神経線維の自然的感受性のために、神経線維束に作用する機械的負荷は可能な限り低く保たなくてはならない一方、他方では神経線維束に沿ったカフ電極の可能な限り耐久的で固定された結合を保証するために十分に安定してカフ電極が神経線維束を取り囲むことを確保しなくてはならない。
【０００６】
カフ電極の使用での実用的な経験は、神経線維束の周りの時に複数の層での、キャリア基板の緩い巻回によって、カフ電極の動的な半径方向の拡張を可能にし、これによって、カフ電極が神経線維束の形状の自然な変化に適応できる一方、他方で、カフ電極に作用する外力は、その巻回付き形状を顕著に変形させる可能性があり、これによって、神経線維束は、不可逆的な損傷につながる可能性のある顕著な機械的ストレスにさらされ得ることを示す。
【０００７】
独国特許出願公開第４４３３１１１号明細書は、導電性シリコンで作られた隆起した電極がその上にある非導電性シリコンで作られた可撓性の多層基板を備えるカフ電極を説明している。電極に繋がる導体経路は、非導電層の間に延びて導電性シリコンから製造されている。カフ電極の多層構造に異なる予備応力を設定することでカフ電極の丸められた形状が作られる。
【課題を解決するための手段】
【０００８】
本発明の目的は、可能な限り最も簡単な手段で、カフ電極が神経線維束に力または圧力効果を可能な限り均一および穏やかに加えることができるような方法で、可撓性および生体適合性を持つフィルム状のキャリア基板を有するカフ電極をさらに開発することであり、キャリア基板は、第１領域では巻軸の周りに巻回されることでチューブの形態をとり、前記チューブは、前記キャリア基板の表面によって前記巻軸に対し放射状に範囲を定める直線円筒状のキャビティを有し、前記キャビティ上に少なくとも１つの電極面が取り付けられ、前記少なくとも１つの電極面は前記キャリア基板内に一体化される少なくとも１つの電線を介して、非伸縮性のコンタクトアセンブリに接続され、前記コンタクトアセンブリ上で電線はインプラントとは別に形成されるインプラント可能な電気供給ユニットに繋がる給電および／または放電線に接続される。これは、とりわけ、例えば身体自体の動きによって引き起こされ得る給電および／または放電線に沿って作用する張力により、カフ電極にストレスがかかる場合に適用すべきである。
【０００９】
本発明の基礎をなす問題の解決策は、請求項１に記載されている。解決概念をさらに発展させる特徴は、サブクレームの主題であり、さらなる説明でも見つけることができる。
【００１０】
解決策によれば、請求項１の導入部の特徴による巻回カフ電極アセンブリの形態に設計された医療用のインプラントは、コンタクトアセンブリが寸法的に安定した接合領域に沿ってキャリア基板に直接的に強固に接合されることを特徴とする。接合領域は、巻軸に平行に配向された空間的な長さを有し、巻軸に対して正射影するコンタクトアセンブリは、巻回されてチューブを形成するキャリア基板の第１領域と重なる。
【００１１】
カフ電極の本発明による設計は、カフ電極のキャリア基板領域に対するコンタクトアセンブリの特別な設計と適用を伴い、これは、丸めるまたは巻回するプロセスを通じてチューブの形態をとり、神経線維束を局所的に囲うインプラントされた状態で、国際公開第２０１６０５５５１２号による既知のカフ電極で得られた経験に基づいている。既知のカフ電極では、巻回されてチューブを形成するキャリア基板の第１領域に直接的および一体的に隣接するフィルム状のキャリア基板の領域は実質的にバンドまたはストリップ形状である。カフ電極の電極に接続されたすべての電線は、バンド状のキャリア基板領域に沿って延びる。バンド形状のキャリア基板領域は、巻軸に本質的に平行に配向された長さを有し、直交して形成された狭いバンド部分により、巻回されてチューブを形成するキャリア基板領域に中央で局所的に接続される。巻軸に平行に配向されたバンド状キャリア基板に沿って作用する張力または推力が発生した場合、巻回されてチューブを形成するキャリア基板の領域に非対称の力が加わる。巻軸に沿って、巻回キャリア基板の片面では、結果として生じるストレス条件は、よりタイトな巻回および関連する収縮を引き起こすことができ、巻回キャリア基板領域の反対側では、拡張および関連する局所的な解放を引き起こすことができ、これによって内在神経束は顕著な不均一圧力または力効果を受ける。
【００１２】
解決策による実施形態は、セラミックなどの非可撓性材料で作られるコンタクトアセンブリが、巻回されてチューブを形成するキャリア基板領域に可能な限り均一に、給電および／または放電線に沿って作用する張力および／または推力を伝える一種の力結合器として機能し、カフのように神経線維束の周りに適用される点において、神経束に作用するこのような非対称ストレスの状況を防ぐ。これにより、チューブの一端は直径が小さく、他端は直径が大きくなる非対称の巻回形状も回避される。好適には、巻回されてチューブを形成するキャリア基板領域へのコンタクトアセンブリを介した力の伝達は、チューブの軸方向の全長に沿って均一に行われる。このようにして、神経束に作用するいかなる剪断力も回避できる。好適には、コンタクトアセンブリおよびキャリア基板は、巻軸に対し正射影するコンタクトアセンブリとチューブとの間の相互の重なりに最大限に対応する、巻回長さに平行に配向された結合領域長さを有する結合領域を介して接続される。ここで、コンタクトアセンブリの長手方向延長部がチューブ長以上であると特に有利である。
【００１３】
実施形態例は、コンタクトアセンブリの長手方向延長部の寸法、チューブ長、および接合領域の長さが互いに異なることも考えられるが、これらの場合、コンタクトアセンブリの長手方向延長部、チューブ長、および接合領域の長さがそれぞれ巻軸に対して直交して配向される共通の中心軸を有するようにコンタクトアセンブリがキャリア基板に対して強固に接合されることが有利にできなくてはならない。
【００１４】
好適には、コンタクトアセンブリは、その上でカフ電極側の少なくとも１つの電線がキャリアに取り付けられている電極に、好適にはマイクロフレックス接点により、接触している板状キャリアを備える。次に、キャリア側の電極は、キャリアに別々に適用され、分離した供給ユニットに繋がる給電および／または放電線が溶接、はんだ、または接着接続で電気的に接続されているさらなる電極面に接続される。板状キャリアには、もちろん、このような電極/電極面対が複数あり、それらを介してカフ電極側の対応する数の電線が、１つのケーブル撚り線へと組み合わされて対応する給電および／または放電線に接続される。
【００１５】
板状キャリアと共に１つのケーブル撚り線へと組み合わされる給電および／もしくは放電線または複数の給電および放電線は、接合領域で流体密にキャリア基板に接合される弾性材料によって囲まれている。液密に、チューブまたはマトリックス状に少なくとも１つの給電および／または放電線を囲む弾性材料は、長手方向延長部を有する撚り線を形成し、その長さは、カフ電極と供給ユニットの体内で分離した位置付けに従って決定される。
【００１６】
キャリア幅と比べると、板状キャリアははるかに長い寸法のキャリア長を有し、その長手方向延長部は巻軸に平行に配向されている。比較的狭いキャリア形状は、少なくとも１つの給電および／または放電線がそれに沿って一体化されている撚り線内に形状の変化なしまたは実質的な変化なしに、埋め込まれるような方法で寸法決めされることが好ましい。実施形態の具体的な形態は以下でより詳細に説明する。
【００１７】
好ましい実施形態では、カフ電極を介して神経線維束に作用する力の追加的な力分布を目的として、巻回されたカフまたはらせん構造の形態の少なくとも１つの追加の締結手段が、少なくとも１つの給電および／または放電線を含む撚り線またはチューブに沿うカフ電極に隣接して取り付けられる。追加の締結手段は、カフ電極のように、巻軸と同軸に並ぶ直線円筒状のキャビティを有する。
【００１８】
さらに好ましい実施形態では、撚り線またはチューブは、撚り線の長手方向延長部に、コンタクトアセンブリに隣接する撚り線延長部を想定し、その上に前述の第１締結手段と同じタイプの第２締結手段が形成され、直接的または間接的に取り付けられる。このように、給電および／または放電線に沿って作用する張力および／または推力は、神経束に沿った強制電極配置に対して偏向または左右対称に分散されて伝わることができる。
【００１９】
少なくとも１つの電極面および電極面に電気的に接続された少なくとも１つの電線を含むキャリア基板に適用されるすべての電気伝導体構造はそれぞれ、電気伝導体構造に沿って接合点がなく、関連する非連続的な電気インピーダンスの差がないように、好適には金属蒸着プロセスで、一体に作られている。
【図面の簡単な説明】
【００２０】
以下、本発明は、全般的な発明概念を制限することなく、図面を参照し実施形態例によって説明される。
【図１】解決手段により設計された医療用のインプラントの実施形態例を示す。
【発明を実施するための形態】
【００２１】
図１は、好適にはポリイミドフィルムからなるフィルム状に構成されているキャリア基板２を有する巻回カフ電極アセンブリの形態で構成されているカフ電極１を示す。キャリア基板２は、一体的に接続された２つの領域３、４を有し、そのうちのキャリア基板２の第１領域３は、巻軸５の周りに巻回されている。巻回されてチューブを形成するキャリア基板２の当該第１領域３は、例えば、熱処理によって等のフィルム状のキャリア基板２の適切な処理によって加えられた材料に固有の張力によってその巻回された形状を維持し、両側が軸方向に開口する直線円筒状のキャビティ６を有する。直線円筒状のキャビティ６に面して、巻回されてチューブを形成するキャリア基板２の第１領域３の表面には、少なくとも１つの電極面７、好適には複数のそのような電極面があり、それぞれの場合において、神経線維束の外壁に直接的に物理接触しているが、これ以上は詳細に示されない。電極面７のそれぞれは電線８と一体的に接触しており、その全てが電気的に絶縁されるようにキャリア基板２内に延びる。
【００２２】
キャリア基板２の第１領域３に一体的に直接的に隣接するキャリア基板の第２領域４は、第１領域３から反対方向を向く側縁９を有し、それに沿って、電線８の端部が互いに隣り合うように配置され、マイクロフレックス接点１０を介してコンタクトアセンブリ１１に取り付けられた電極に接触する。コンタクトアセンブリ１１は、好適にはセラミックプレートを有する板状キャリア１２の形態に構成され、長手方向延長部１３を有する。キャリア１２の長さは、その幅よりはるかに大きい。
【００２３】
板状キャリア１２に取り付けられた電極は、各電線８を、板状キャリア１２の上部にある電気接触面１４に接続し、その上で、はんだ、接着、または溶接接続によって、給電および／または放電線１５が電気的に接触し、図１に図示されているように、左側面方向へとコンタクトアセンブリ１１に接続されている。各接触面１４に接続された全ての給電および放電線１５は、組み合わされてケーブル撚り線１５＊となり、例えばカフ電極１を操作するための制御信号および電気エネルギーを提供する、カフ電極１から分離して形成される、供給ユニット１６に繋がる。組み合わされてケーブル撚り線１５＊となるワイヤ状の給電および放電線１５は、供給ユニット１６の別操作のため、例えば、交換のために、不図示の液密プラグ接続を介して供給ユニット１６に接続される。電気絶縁のためおよび湿潤な体内環境から保護するため、全ての給電および放電線１５を含むケーブル撚り線１５＊は、シリコンチューブ１７で囲まれるまたはシリコン撚り線１７に埋め込まれている。
【００２４】
シリコン撚り線１７に沿って作用する張力または推力１８は、巻回されてチューブを形成するキャリア基板２の第１領域３の全長１９に沿って可能な限り均等に分散して作用し、キャリア基板２がコンタクトアセンブリ１１の板状キャリア１２の表面に強固に接合された接合接続で接合している、コンタクトアセンブリ１１とキャリア基板２の第２領域４の間の接合領域２０は、少なくとも部分的に、好適には完全に巻軸５に対して正射影するよう配置され、図１に示すように、巻回されてチューブを形成するキャリア基板２の領域３の軸方向延長部１９に重なる。コンタクトアセンブリ１１の各長さの実際の寸法に関係なく、接合領域２０および巻回されてチューブを形成するキャリア基板２の第１領域３、コンタクトアセンブリ（１１）の長手方向延長部（１３）、チューブ長（１９）および接合領域長（２１）は、巻軸（５）に対して直角に配向された共通の中心軸（２４）を有することが好ましい。
【００２５】
図１では、接合領域２０は、巻回されてチューブを形成するキャリア基板２の部分３の長さ１９にほぼ対応する長手方向延長部２１を有する。この場合、コンタクトアセンブリ１１によるキャリア基板２への力の伝達は接合領域２０を介して、全長１９にわたって均等に行われる。
【００２６】
任意選択として、巻軸５に沿ってカフ電極１に対して一方にまたはカフ電極１に対して両方に、カフ電極１のように力が加えられると神経束の外周の周りに位置できる締結手段２２、２２’を設けることができる。締結手段２２、２２’は、好適にはシリコン材料からなる、巻回カフまたは既知のらせん構造の形態であることができる。図の左側の締結手段２２は、接続部２３を介してシリコン撚り線１７に直接的に取り付けられている。接続部２３は、好適には一体的な接着接続として設計され、すなわち、締結手段２２、接続部２３、およびシリコン撚り線１７は、一様の製造プロセスの一部として、同じ材料から作られている。接続部２３は、例えば、直線状、ジグザグ状、波状、渦巻状、またはらせん状の接続アームの形態で、シリコン撚り線１７と締結手段２２との間から空間的結合形状までのシームレスな移行の形態で構成されることができる。カフ電極１の右側の同様に任意選択として設けられる締結手段２２’は、撚り線延長部１７’に取り付けられる。この場合も、接続部２３’を上記と同様の方法で設計することができる。
【符号の説明】
【００２７】
１  カフ電極
２  キャリア基板
３  キャリア基板の第１領域
４  キャリア基板の第２領域
５  巻軸
６  直線円筒状のキャビティ
７  電極面
８  電気導体
９  キャリア基板の接続端縁
１０  マイクロフレックス接点
１１  コンタクトアセンブリ
１２  板状キャリア
１３  コンタクトアセンブリの長手方向延長部
１４  電極面
１５  給電および／または放電部
１５＊  ケーブル撚り線
１６  供給ユニット
１７  シリコン撚り線
１７’  撚り線延長部
１８  推力−張力
１９  巻回されてチューブを形成するキャリア基板の第２領域３の長さ
２０  接合領域
２１  接合領域の長さ
２２、２２’  締結手段
２３、２３’  接続部
２４    中心軸
【図１】
2021518178.tif 000003
【手続補正書】
【提出日】令和2年1月14日(2020.1.14)
【手続補正１】
【補正対象書類名】特許請求の範囲
【補正対象項目名】全文
【補正方法】変更
【補正の内容】
【特許請求の範囲】
【請求項１】
巻回カフ電極アセンブリ、端的にはカフ電極（１）の形態の医療用のインプラントであって、第１領域（３）では巻軸（５）の周りに巻回されることでチューブ長（１９）を有するチューブの形状をとり、可撓性および生体適合性を持つ、フィルム状のキャリア基板（２）を有し、前記チューブは、前記巻軸（５）に対し放射状に範囲を定める直線円筒状のキャビティ（６）を有し、前記キャビティ（６）上に少なくとも１つの電極面（７）が取り付けられ、前記少なくとも１つの電極面（７）は前記キャリア基板（２）内に一体化される少なくとも１つの電線（８）を介して、非伸縮性のコンタクトアセンブリ（１１）に接続され、前記コンタクトアセンブリ（１１）上で前記電線（８）は前記インプラントとは別に形成されるインプラント可能な電気供給ユニット（１６）に繋がる給電および／または放電線（１５）に接続され、
前記コンタクトアセンブリ（１１）が、前記巻軸（５）に平行して配向される空間的な長手方向延長部（１３）を有し、前記コンタクトアセンブリ（１１）が、寸法的に安定した接合領域（２０）に沿って前記キャリア基板（２）に強固に接合され、前記接合領域（２０）は前記巻軸（５）に平行して配向される接合領域長（２１）を有し、前記巻軸（５）に対して正射影する前記コンタクトアセンブリ（１１）は、巻回されてチューブを形成する前記キャリア基板（２）の前記第１領域（３）に重なり、
前記コンタクトアセンブリ（１１）は、少なくとも１つの電線（８）が電気コンタクト（１５）によって接続された板状キャリア（１２）を有し、前記電気コンタクト（１５）は、前記板状キャリア（１２）に取り付けられた電極（１４）に電気的に接続され、前記板状キャリア（１２）に、前記給電および／または放電線（１５）が接続され、
前記給電および／または放電線（１５）は、前記板状キャリア（１２）と共に弾性材料で囲まれ、前記弾性材料は、前記接合領域（２０）で流体密となるように前記キャリア基板（２）に接合される、医療用のインプラント。
【請求項２】
前記コンタクトアセンブリ（１１）は、前記コンタクトアセンブリ（１１）の前記長手方向延長部（１３）および巻回されてチューブを形成する前記キャリア基板（２）の前記第１領域（３）の前記チューブ長（１９）が前記巻軸（５）に対して正射影して最大限に重なるように、前記キャリア基板（２）に対して配置されている、請求項１に記載の医療用のインプラント。
【請求項３】
前記コンタクトアセンブリ（１１）と前記キャリア基板（２）との間で、前記接合領域（２０）は、前記巻軸（５）に平行に配向される接合領域長（２１）を有し、前記接合領域長（２１）は前記コンタクトアセンブリ（１１）の前記長手方向延長部（１３）と前記巻軸（５）に対して正射影する前記チューブ長（１９）との相互の重なりに最大限に対応する、請求項１または２に記載の医療用のインプラント。
【請求項４】
前記コンタクトアセンブリ（１１）は、前記コンタクトアセンブリ（１１）の前記長手方向延長部（１３）、前記チューブ長（１９）、および前記接合領域長（２１）がそれぞれ、前記巻軸（５）に対して直交して配向される共通中心軸（２４）を有するように、前記キャリア基板（２）に対して強固に接合されている、請求項１から３のいずれか一項に記載の医療用のインプラント。
【請求項５】
前記キャリア基板（２）は、側縁（９）が側面方向に前記キャリア基板（２）の範囲を定めた状態で、巻回されてチューブを形成する前記第１領域（３）に隣接する第２平坦キャリア基板領域（４）を有し、前記側縁（９）上で前記少なくとも１つの電線（８）は前記接合領域（２０）内で前記コンタクトアセンブリ（１１）に電気的に接続される、請求項１から４のいずれか一項に記載の医療用のインプラント。
【請求項６】
前記少なくとも１つの電線（８）がマイクロフレックス接点の形態で接触している、請求項１から５のいずれか一項に記載の医療用のインプラント。
【請求項７】
前記少なくとも１つの給電および／または放電線（１５）を囲う前記弾性材料は、
前記コンタクトアセンブリ（１１）に直に隣接する少なくとも１つの領域において前記巻軸（５）に対し平行に配向される、撚り線の長手方向延長部を有する撚り線（１７）の形態であり、
少なくとも１つの給電および／または放電線（１５）を含む前記撚り線（１７）の領域において、直線円筒状のキャビティを有する第１締結手段（２２）は巻回カフ若しくは螺旋状構造の形態で直接的または間接的に適用され、前記直線円筒状のキャビティは前記巻軸（５）に対して同軸上に配向されている、請求項１から６のいずれか一項に記載の医療用のインプラント。
【請求項８】
前記撚り線の長手方向延長部において、前記撚り線（１７）は前記コンタクトアセンブリ（１１）の反対に撚り線延長部（１７’）を想定し、前記撚り線延長部（１７’）上に前記第１締結手段（２２）と同じタイプの第２締結手段（２２’）が直接的または間接的に取り付けられている、請求項７に記載の医療用のインプラント。
【請求項９】
巻回されてチューブを形成する前記キャリア基板（２）の前記第１領域（３）は、前記キャリア基板（２）が前記巻軸（５）に対して放射状にそれ自体に緩く重なる少なくとも１つの巻回領域を有する前記巻軸の周りの少なくとも１つの巻回を有する、請求項１から８のいずれか一項に記載の医療用のインプラント。
【国際調査報告】
2021518178.tif 000004
2021518178.tif 000005
2021518178.tif 000006
2021518178.tif 000007
2021518178.tif 000008